(57)【要約】【課題】多孔質体の塗布体について毛細管力の強弱の部分を連続的に設定可能な毛髪用塗布具を提供する。【解決手段】塗布体によって毛髪に塗布液を塗布する毛髪用塗布具において、多孔体で形成され変形可能な塗布体と、前端の開口から後方に向かうと拡径する内部空間を有して、前記塗布体の前端部を塗布部として露出した状態で前記内部空間内に装着するための本体とを備え、前記塗布体が前記本体の内部空間内に装着された状態では、前記塗布体の塗布部側の横断面積が反塗布部側の横断面積よりも小さくなりかつ塗布体が段階的に圧縮していることを特徴とする毛髪用塗布具である。【選択図】図１
2018166692.tif 000002
【特許請求の範囲】
【請求項１】
塗布体によって毛髪に塗布液を塗布する毛髪用塗布具において、
多孔体で形成され変形可能な塗布体と
前端の開口から後方に向かうと拡径する内部空間を有して、前記塗布体の前端部を塗布部として露出した状態で前記内部空間内に装着するための本体とを備え、
前記塗布体が前記本体の内部空間内に装着された状態では、前記塗布体の塗布部側の横断面積が反塗布部側の横断面積よりも小さくなりかつ塗布体が段階的に圧縮していることを特徴とする毛髪用塗布具。
【請求項２】
前記塗布体は、前記本体に装着されない状態で塗布部側とその他端側との外周が略同一であることを特徴とする請求項１に記載の毛髪用塗布具。
【請求項３】
前記塗布体の外周面には、保護被膜が形成されていることを特徴とする請求項１又は２に記載の毛髪用塗布具。
【発明の詳細な説明】
【技術分野】
【０００１】
本発明は、液体塗布具特に染毛剤、あるいは薬剤等の塗布液を毛髪や毛束に等に塗布するのに好適な毛髪用塗布具に関する。
【背景技術】
【０００２】
従来、染毛料の塗布体として、染毛料を含むスポンジなどの塗布体を用いた塗布具が用いられる。
【０００３】
多孔質体からなる塗布体を環状の櫛体から一部突出させて設けた毛髪用塗布具であって、多孔質体の塗布体の突出部の毛細管力を高めたものが提案されている（特許文献１参照）。上記毛髪用塗布具では、絞り部によって前記突出部の毛細管力を高く設定するものとしている。
【０００４】
また、軸筒内に塗布液を収容する中綿を設けて当該中綿の両端を圧縮して、塗布体に送り出せるようにした筆記具が提案されている（特許文献２参照）。
【先行技術文献】
【特許文献】
【０００５】
【特許文献１】特開２００８−２５３４２４号公報
【特許文献２】特許第６０１６１９２号公報
【発明の概要】
【発明が解決しようとする課題】
【０００６】
しかしながら、前記塗布体を一部突出させて塗布部とした毛髪用塗布具において、毛細管力を一部突出部付近の圧縮によって変化させているが、塗布部の一部を圧縮しているのみであるので、近隣部から塗布液を寄せ集めても遠い部分からの塗布液の寄せ集めができず、塗布体において、その遠い部分の塗布液をスムーズに前記一部に寄せ集めできないものである。つまり、塗布体について毛細管力の強弱の連続的な設定ができないものであった。
【０００７】
また、前記の中綿を圧縮する筆記具では、塗布体を尾端から中綿を圧縮するにすぎないものであり、塗布体に採用したとしても毛細管力の強弱の連続的な設定ができないものであった。
【０００８】
本発明は、斯かる実情に鑑み、多孔質体の塗布体について毛細管力の強弱を連続的に設定可能な毛髪用塗布具を提供しようとするものである。
【課題を解決するための手段】
【０００９】
本発明は、塗布体によって毛髪に塗布液を塗布する毛髪用塗布具において、
多孔体で形成され変形可能な塗布体と、
前端の開口から後方に向かうと拡径する内部空間を有して、前記塗布体の前端部を塗布部として露出した状態で前記内部空間内に装着するための本体とを備え、
前記塗布体が前記本体の内部空間内に装着された状態では、前記塗布体の塗布部側の横断面積が反塗布部側の横断面積よりも小さくなりかつ塗布体が段階的に圧縮していることを特徴とする毛髪用塗布具である。
【発明の効果】
【００１０】
本発明の毛髪用塗布具によれば、塗布体が前記本体の内部空間内に装着された状態では、前記塗布体の塗布部側の横断面積が反塗布部側の横断面積よりも小さくなりかつ塗布体が段階的に圧縮していることとして、前記塗布体の塗布部側の横断面積が反塗布部側の横断面積よりも小さくなって前記塗布部側が圧縮されて毛細管力が反塗布部側よりも段階的または連続的に強くさせて、一体の塗布体の中で連続的に毛細管力に差生じさせることにより、塗布体内の塗布液を十分に前端塗布部に導くことができ、十分に毛髪への塗布が可能になる。
【００１１】
また、前記塗布体の塗布部が部分的に圧縮されているので組み立て性付け性が良好であるという優れた効果を奏し得る。
【図面の簡単な説明】
【００１２】
【図１】本発明の第１実施形態に係る毛髪用塗布具の全体図であり、（ａ）が後方からの視図、（ｂ）が正面図、（ｃ）が前方からの視図、（ｄ）が（ｅ）のＤ−Ｄ線に沿う全体縦断面図、（ｅ）が側面図、（ｆ）が（ｂ）のＦ−Ｆ線に沿う全体縦断面図である。
【図２】図１の毛髪用塗布具のキャップを取った全体図であり、（ａ）が後方からの視図、（ｂ）が正面図、（ｃ）が前方からの視図、（ｄ）が（ｅ）のＤ−Ｄ線に沿う全体縦断面図、（ｅ）が側面図、（ｆ）が（ｂ）のＦ−Ｆ線に沿う全体縦断面図である。
【図３】図１の毛髪用塗布具のキャップを取った全体図であり、（ａ）が前方からの斜視図、（ｂ）が後方からの斜視図である。
【図４】図１の毛髪用塗布具の本体（櫛体）の部品図であり、（ａ）が後方からの視図、（ｂ）が正面図、（ｃ）が前方からの視図、（ｄ）が（ｆ）のＤ−Ｄ線に沿う全体縦断面図、（ｅ）が前方からの斜視図、（ｆ）が側面図、（ｇ）が後方からの斜視図、（ｈ）が（ｂ）のＨ−Ｈ線に沿う全体縦断面図である。
【図５】図１の毛髪用塗布具の尾栓の部品図であり、（ａ）が後方からの視図、（ｂ）が正面図、（ｃ）が前方からの視図、（ｄ）が（ｆ）のＤ−Ｄ線に沿う全体縦断面図、（ｅ）が後方からの斜視図、（ｆ）が側面図、（ｇ）が前方からの斜視図、（ｈ）が（ｂ）のＨ−Ｈ線に沿う全体縦断面図である。
【図６】図１の毛髪用塗布具の塗布体の部品図であり、（１ａ）が圧縮後のものの後方からの視図、（１ｂ）が圧縮後のものの正面図、（１ｃ）が圧縮後のものの前方からの視図、（２ａ）が圧縮前のものの後方からの視図、（２ｂ）が圧縮前のものの正面図、（２ｃ）が圧縮前のものの前方からの視図、（１ｄ）が圧縮後のものの前方からの斜視図、（２ｄ）が圧縮前のものの前方からの斜視図である。
【図７】本発明の第２実施形態に係る毛髪用塗布具の全体図であり、（ａ）が前方からの斜視図、（ｂ）が前方からの視図、（ｃ）が正面図、（ｄ）が（ｃ）から９０度回転させた側面図、（ｅ）が（ｂ）のＥ−Ｅ線に沿う全体縦断面図、（ｆ）が後方からの斜視図である。
【図８】図７の毛髪用塗布具の本体（櫛体）の説明図であり、（ａ）が前方からの斜視図、（ｂ）が前方からの視図、（ｃ）が正面図、（ｄ）が（ｃ）から９０度回転させた側面図、（ｅ）が（ｂ）のＥ−Ｅ線に沿う全体縦断面図、（ｆ）が後方からの斜視図、（ｇ）が後方からの視図である。
【図９】図７の毛髪用塗布具の塗布体の部品図であり、（１ａ）が圧縮後のものの前方からの視図、（１ｂ）が圧縮後のものの正面図、（１ｃ）が圧縮後のものの後方からの視図、（２ａ）が圧縮前のものの前方からの視図、（２ｂ）が圧縮前のものの正面図、（２ｃ）が圧縮前のものの後方からの視図、（１ｄ）が圧縮後のものの前方からの斜視図、（２ｄ）が圧縮前のものの前方からの斜視図、（１ｅ）が圧縮後のものの後方からの斜視図、（２ｅ）が圧縮前のものの後方からの斜視図である。
【発明を実施するための形態】
【００１３】
以下、本発明の実施形態について添付図面を参照して説明する。
【００１４】
図１は、本発明の第１実施形態に係る毛髪用塗布具の全体図、図２、図３はキャップを取った同全体図、図４は本体（櫛体）部品図、図５は尾栓の部品図である。
【００１５】
図１〜図３に示すように、第１実施形態に係る毛髪用塗布具は、塗布体１０によって毛髪に塗布液を塗布する毛髪用塗布具において、多孔体で形成され変形可能な塗布体１０と、前端の開口１２ａから後方に向かうと拡径する内部空間１２ｂを有して、前記塗布体１０の前端部を塗布部１０ａとして露出した状態で前記内部空間１２ｂ内に装着するための本体１２とを備え、前記塗布体１０が前記内部空間１２ｂ内に装着された状態では、前記塗布体１０が前記内部空間１２ｂ内に装着された状態では、前記塗布体１０の塗布部１０ａ側である塗布体前部の横断面積Ｓｆが反塗布部側である塗布体後部の横断面積Ｓｒよりも小さくなって塗布体が段階的に圧縮して、塗布部１０ａ側が最も圧縮されているものである。
【００１６】
前記本体１２は、図２に示すように、横断面が概略楕円形で先・後に開口のある筒状のものである。その内部空間１２ｂ中に装着された塗布体１０は、横断面積で見て先端部（横断面積Ｓｆ）が後端部（横断面積Ｓｒ）よりも小さくテーパー状に縮小している。図２に示すように、前記本体１２の先端部には、棒状の複数の櫛体１８が開口１２ａを取り巻くように一体に設けられる。本体１２の後端部は周方向に壁状に形成された後端壁１２ｄに形成されている。本体１２は、その厚みを種々に取りうるが先方に行くほど厚さを増していく。
【００１７】
そして、前記本体１２の先端の開口１２ａから臨む塗布部１０ａを覆うキャップ１４が着脱自在に嵌められている。図１に示すように、先端の開口１２ａ周囲の櫛体１８より下がったところにＯ（オー）リング等弾性材からなる気密シール体２０が前記本体１２外周の溝に嵌着する等して固定されていて、キャップ１４との間で弾性変形してキャップ１４内壁に密着して気密を確保している。本体１２はポリプロピレン等の合成樹脂を用いることができる。また、本体１２を合成樹脂とし、気密シール体２０をエラストマーで二色成形とした一体構造としてもよい。
また、塗布体１０は、連続気泡の発泡体、中綿等の圧縮により容易に形状が変えられる多孔体を材料とすることができる。
塗布体１０に含侵させる塗布液はヘアマニキュアや一時着色料等の毛髪料が好適である。
【００１８】
前記キャップ１４は、図１に示すように、楕円椀状であり、本体１２の先端部に外側に嵌着する。
【００１９】
また、図２に示すように、前記本体１２の後端開口１２ｃには、尾栓１６が嵌められている。
【００２０】
前記尾栓１６は、図５に示すように、周縁１６ａが前記本体１２後端壁１２ｄに包み込んで嵌る壁状で、その周縁１６ａに囲まれた中に先方側に突出する対の突起１６ｂ、１６ｂが形成される。図２に示すように、尾栓１６の先端面に塗布体１０の後端部を当てて突起１６ｂ、１６ｂで左右から塗布体１０の後端部を挟み込む機能を有している。尾栓１６の後端面には−状の溝１６ｃが形成されている。尾栓１６は本体１２に対して溶着にて固定する。
【００２１】
前記塗布体１０を前記本体に装着した状態を図６の（１ａ）、（１ｂ）、（１ｃ）、（１ｄ）に、装着していない状態を図６の（２ａ）、（２ｂ）、（２ｃ）、（２ｄ）にそれぞれ示す。前記本体１２に装着されない状態では図６の（２ａ）〜（２ｄ）に示すように、塗布部１０ａ側とその他端（後端部１０ｂ）側との外周が略同一のほぼ円柱形状である。そして、前記塗布体１０は、前記本体１２に装着された状態では、図６の（１ａ）〜（１ｄ）に示すように、塗布部１０ａ側が圧縮されて後端部１０ｂ側に比較して横断面積が縮小する。したがって、先端側の塗布部１０ａでは押しつぶされて毛細管力が、押しつぶされていない後端部１０ｂ側の毛細管力に比べて強い（高い）。塗布部１０ａ側の横断面積が後端部１０ｂの横断面積に対する面積比を６５〜８０％とすることが好適である。
【００２２】
第１の実施形態では、前記塗布体１０を前記本体１２に装着した際に前記塗布体１０はそれを厚さ方向に圧縮する形でちょうど平たい塗布部１０ａになり厚さ方向に動けば濡れる横断面積は小さくなるが、圧縮作用により厚さ方向に動く際は圧縮前の幅より広くなるため、塗りやすい塗布具となる。
また、塗布体１０と本体１２の内壁の間は密着していることに限定されず、厚さ方向では密着して隙間がなく幅方向の横側に隙間があり、空気の流通ができるようになっている。
【００２３】
前記塗布体１０の外周面には、図示しない蒸発を防ぐ保護被膜を形成することができ、塗布体１０の外周面と本体１２内周面との間から塗布液がこぼれたり、蒸発したりすることを防ぐことができる。そして塗布部１０ａはその保護被膜を剥いで、ばらけさせ刷毛状にして髪の毛に塗りやすくする。
【００２４】
毛細管力によって塗布体１０の塗布部側を圧縮して、毛細管力に強弱の差をつけて、例えば頭髪の生え際染めに適して地肌を汚さずに毛髪に確実に塗布できる。
【００２５】
また、塗布体１０が塗布部１０ａ側を部分的に圧縮するため本体１２の内部空間１２ｂに先方に向けて装着するため、部分圧縮のほうが組み立て性の点から好適である。
【００２６】
〔第２実施形態〕
図７は、本発明の第２実施形態に係る毛髪用塗布具の全体図、図８は本体（櫛体）部品図、図９は塗布体の部品図である。前記第１実施形態と同様部分に同一符号を付している。
【００２７】
第２実施形態に係る毛髪用塗布具は、塗布体１０は櫛体１８と同じ長さ突出形成されており、櫛体１８と塗布体１０との間に髪の毛を挟んで塗布可能なものである。
【００２８】
軸筒２２に本体１２を装着したペン状の塗布具であり、持ちやすくしたものである。
【００２９】
前記本体１２を装着する軸筒２２は先端が開口し後端が閉じた筒状であって、その先端の開口内に前記本体１２を装着して、前記本体１２が軸筒２２にて保持される。本体１２には、フランジ１２ｅが形成されており、当該フランジ１２ｅにて軸筒２２に潜り込むのを防止している。
【００３０】
図８に示すように、本体１２の内部空間１２ｂは、先方が厚さ方向にテーパー状に絞り込まれる形状を呈している。塗布体１０は、本体１２に装着前は、つまり圧縮前は図９の（２ａ）、（２ｂ）、（２ｃ）、（２ｄ）、（２ｅ）に示すように、円柱状であり、装着後は圧縮により図９の（１ａ）（１ｂ）、（１ｃ）、（１ｄ）、（１ｅ）に示すように、塗布部１０ａが厚さ方向に圧縮して平板状に形成される。塗布部１０ａが先方から見て長円形を呈し、後端部１０ｂが円形になっている。なお、尾栓１６で塗布体１０の後端をおしているが、後端で圧縮せずに塗布部１０ａで圧縮している。
【００３１】
前記本体１２には、開口１２ａから塗布体１０の塗布部１０ａが突出している。当該塗布部１０ａの厚さ方向一側に櫛体１８が複数本配列している。
【００３２】
毛髪への塗布に際して、塗布部１０ａと櫛体１８との間に毛髪を通せるため、部分的に数本の毛髪に塗布液を塗布することができる。例えば１本の白髪染めも可能になる。
【００３３】
本発明は上記実施形態に限定されず、本発明の範囲内で変形実施できる。例えば、第１実施形態では塗布体の塗布部を平坦に押しつぶして圧縮しているが、他の形状に圧縮することもできる。
【産業上の利用可能性】
【００３４】
本発明の毛髪用塗布具は、頭髪などの毛髪の塗布の他、かつらや犬や猫等の動物の毛髪の毛染めにも利用することができる。
【符号の説明】
【００３５】
１０  塗布体
１０ａ  塗布部
１０ｂ  後端部
１２  本体
１２ａ  開口
１２ｂ  内部空間
１２ｃ  後端開口
１２ｄ  後端壁
１２ｅ  フランジ
１４  キャップ
１６  尾栓
１６ａ  周縁
１６ｂ  突起
１６ｃ  溝
１８  櫛体
２０  気密シール体
２２  軸筒
Ｓｆ  塗布体前部の横断面積
Ｓｒ  塗布体後部の横断面積
【図１】
2018166692.tif 000003
【図２】
2018166692.tif 000004
【図３】
2018166692.tif 000005
【図４】
2018166692.tif 000006
【図５】
2018166692.tif 000007
【図６】
2018166692.tif 000008
【図７】
2018166692.tif 000009
【図８】
2018166692.tif 000010
【図９】
2018166692.tif 000011